(57)【要約】【課題】環境に応じたコンテンツを自動的に再生することができるとともに、環境に応じたコンテンツが登録されていない場合であっても、コンテンツを好ましい順序で再生することができるポータブルコンテンツ再生装置を提供する。【解決手段】コンテンツインデックスデータ１４は、コンテンツＩＤに対応付けられて、当該コンテンツを再生するための条件を示す複数の要素がインデックスデータとして記憶されたデータである。ＣＰＵ９は、各センサが再生環境に応じて検出した値を読み取って再生条件の要素として設定する。ＣＰＵ９は、コンテンツインデックスデータ１４から、あらかじめ定められた優先順位にもとづいて、再生条件の各要素の値に合致するインデックスデータを検索し、対応するコンテンツＩＤを抽出する。ＣＰＵ９は、抽出されたコンテンツＩＤに対応するコンテンツデータをデータライブラリ１５から読み出して再生する。【選択図】図１
2008123576.tif 000002
【特許請求の範囲】
【請求項１】
使用者が携帯可能でありコンテンツを再生するポータブルコンテンツ再生装置において、
複数の環境要素のそれぞれにおける範囲で表された再生条件に対応付けられたコンテンツを記憶する記憶手段と、
当該ポータブルコンテンツ再生装置の周囲の環境要素を観測して各々の環境要素を示すデータを出力する複数の環境要素データ出力手段と、
複数の環境要素から所定の優先順位にしたがって環境要素を選択し、選択した環境要素に対応する前記環境要素データ出力手段が出力したデータが、選択した環境要素の再生条件に含まれる場合に、その再生条件に対応するコンテンツを前記記憶手段から優先して抽出するコンテンツ抽出手段と、
前記コンテンツ抽出手段が抽出したコンテンツを再生するコンテンツ再生手段とを備えた
ことを特徴とするポータブルコンテンツ再生装置。
【請求項２】
コンテンツ再生手段は、コンテンツ抽出手段が抽出した順にコンテンツを再生する請求項１記載のポータブルコンテンツ再生装置。
【請求項３】
コンテンツ抽出手段は、環境要素データ出力手段が出力したデータが含まれる、ある順位の環境要素の再生条件に対応するコンテンツが記憶手段に複数記憶されている場合に、環境要素データ出力手段が出力したデータが、次の順位の環境要素の再生条件に含まれるときにその再生条件に対応するコンテンツを前記記憶手段から優先して抽出する
請求項１または請求項２記載のポータブルコンテンツ再生装置。
【請求項４】
記憶手段は、コンテンツに対応付けられたコンテンツ再生時の再生調整方法を示す情報を記憶し、
コンテンツ再生手段は、前記記憶手段に記憶されているコンテンツ再生時の再生調整方法を示す情報にしたがってコンテンツを再生する
請求項１から請求項３のうちのいずれか１項に記載のポータブルコンテンツ再生装置。
【請求項５】
通信ネットワークを介してポータブルコンテンツ再生装置にコンテンツを送信するサーバ装置を備えたポータブルコンテンツ再生システムであって、
前記ポータブルコンテンツ再生装置は、
当該ポータブルコンテンツ再生装置の周囲の環境要素を観測して各々の環境要素を示すデータを出力する複数の環境要素データ出力手段と、
前記環境要素データ出力手段が出力したデータを前記サーバ装置に送信する送信手段と、
前記サーバ装置からコンテンツを受信して再生するコンテンツ再生手段とを含み、
前記サーバ装置は、
複数の環境要素のそれぞれにおける範囲で表された再生条件に対応付けられたコンテンツを記憶する記憶手段と、
前記ポータブルコンテンツ再生装置から前記環境要素データ出力手段が出力したデータを受信し、複数の環境要素から所定の優先順位にしたがって環境要素を選択し、選択した環境要素に対応する前記環境要素データ出力手段が出力したデータが、選択した環境要素の再生条件に含まれる場合に、その再生条件に対応するコンテンツを前記記憶手段から優先して抽出するコンテンツ抽出手段と、
前記コンテンツ抽出手段が抽出したコンテンツを前記ポータブルコンテンツ再生装置に送信するコンテンツ送信手段とを含む
ことを特徴とするポータブルコンテンツ再生システム。
【請求項６】
使用者が携帯可能であり、複数の環境要素のそれぞれにおける範囲で表された再生条件に対応付けられたコンテンツを記憶し、コンテンツを再生するポータブルコンテンツ再生装置において使用されるコンテンツ再生方法であって、
ポータブルコンテンツ再生装置の周囲の環境要素を観測して各々の環境要素を示すデータを出力する環境要素データ出力ステップと、
複数の環境要素から所定の優先順位にしたがって環境要素を選択し、前記環境要素データ出力ステップで出力されたデータが、選択した環境要素の再生条件に含まれる場合に、その再生条件に対応するコンテンツを前記記憶手段から優先して抽出するコンテンツ抽出ステップと、
前記コンテンツ抽出手段が抽出したコンテンツを再生するコンテンツ再生ステップとを含む
ことを特徴とするコンテンツ再生方法。
【発明の詳細な説明】
【技術分野】
【０００１】
本発明は、コンテンツを自動的に選択して再生するポータブルコンテンツ再生装置、ポータブルコンテンツ再生システムおよびコンテンツ再生方法に関する。
【背景技術】
【０００２】
ポータブルコンテンツ再生装置は、一般に、小型／軽量で携帯性に富んでいるという特徴があり、屋内／屋外どこにでも携帯することが可能である。このため、利用者のリスニング環境は常に一定では無いことが多い。特に、屋外での利用時には、例えば、歩行中や交通機関に乗車している場合などに、目まぐるしく周囲の環境が変化する。
【０００３】
なお、特許文献１には、季節に応じて再生曲を自動的に切り替える情報再生装置について記載されている。また、特許文献２には、多数の楽曲等のマルチメディアデータの中から適切なマルチメディアデータを選択することができる車載再生装置について記載されている。
【０００４】
【特許文献１】特開平１１−１４９７０１号公報（段落００１６−００１７）
【特許文献２】特開２００４−３４８８９５号公報（段落００２９−００３６）
【発明の開示】
【発明が解決しようとする課題】
【０００５】
しかし、特許文献１に記載された方式では、コンテンツ再生条件として季節情報のみしか考慮していないため、同じ季節でも天気が下り坂の時と好天時、朝と夜など、コンテンツ再生環境が大きく異なる場合に異なる対応ができない。また、一般的なコンテンツ自動選択方法では、乱数等を利用した単純なランダム選択を行っているため、利用者の再生環境にマッチしたコンテンツを選択することができない。
【０００６】
また、特許文献２に記載された方式では、再生時の環境に応じたおすすめの曲を選択することはできる。しかし、再生時の環境に応じた曲が登録されていない場合には、曲が選択されないという問題がある。
【０００７】
そこで、本発明は、環境に応じたコンテンツを自動的に再生することができるとともに、環境に応じたコンテンツが登録されていない場合であっても、コンテンツを好ましい順序で再生することができるポータブルコンテンツ再生装置、ポータブルコンテンツ再生システムおよびコンテンツ再生方法を提供することを目的とする。
【課題を解決するための手段】
【０００８】
本発明によるポータブルコンテンツ再生装置は、使用者が携帯可能でありコンテンツを再生するポータブルコンテンツ再生装置であって、複数の環境要素のそれぞれにおける範囲で表された再生条件に対応付けられたコンテンツを記憶する記憶手段と、ポータブルコンテンツ再生装置の周囲の環境要素を観測して各々の環境要素を示すデータを出力する複数の環境要素データ出力手段と、複数の環境要素から所定の優先順位にしたがって環境要素を選択し、選択した環境要素に対応する環境要素データ出力手段が出力したデータが、選択した環境要素の再生条件に含まれる場合に、その再生条件に対応するコンテンツを記憶手段から優先して抽出するコンテンツ抽出手段と、コンテンツ抽出手段が抽出したコンテンツを再生するコンテンツ再生手段とを備えたことを特徴とする。
【０００９】
コンテンツ再生手段は、コンテンツ抽出手段が抽出した順にコンテンツを再生することが好ましい。
【００１０】
コンテンツ抽出手段は、環境要素データ出力手段が出力したデータが含まれる、ある順位の環境要素の再生条件に対応するコンテンツが記憶手段に複数記憶されている場合に、環境要素データ出力手段が出力したデータが、次の順位の環境要素の再生条件に含まれるときにその再生条件に対応するコンテンツを記憶手段から優先して抽出することが好ましい。
【００１１】
記憶手段は、コンテンツに対応付けられたコンテンツ再生時の再生調整方法を示す情報を記憶し、コンテンツ再生手段は、記憶手段に記憶されているコンテンツ再生時の再生調整方法を示す情報にしたがってコンテンツを再生するように構成されていてもよい。
【００１２】
本発明によるポータブルコンテンツ再生システムは、通信ネットワークを介してポータブルコンテンツ再生装置にコンテンツを送信するサーバ装置を備えたポータブルコンテンツ再生システムであって、ポータブルコンテンツ再生装置は、ポータブルコンテンツ再生装置の周囲の環境要素を観測して各々の環境要素を示すデータを出力する複数の環境要素データ出力手段と、環境要素データ出力手段が出力したデータをサーバ装置に送信する送信手段と、サーバ装置からコンテンツを受信して再生するコンテンツ再生手段とを含み、サーバ装置は、複数の環境要素のそれぞれにおける範囲で表された再生条件に対応付けられたコンテンツを記憶する記憶手段と、ポータブルコンテンツ再生装置から環境要素データ出力手段が出力したデータを受信し、複数の環境要素から所定の優先順位にしたがって環境要素を選択し、選択した環境要素に対応する環境要素データ出力手段が出力したデータが、選択した環境要素の再生条件に含まれる場合に、その再生条件に対応するコンテンツを記憶手段から優先して抽出するコンテンツ抽出手段と、コンテンツ抽出手段が抽出したコンテンツをポータブルコンテンツ再生装置に送信するコンテンツ送信手段とを含むことを特徴とする。
【００１３】
本発明によるポータブルコンテンツ再生方法は、使用者が携帯可能であり、複数の環境要素のそれぞれにおける範囲で表された再生条件に対応付けられたコンテンツを記憶し、コンテンツを再生するポータブルコンテンツ再生装置において使用されるコンテンツ再生方法であって、ポータブルコンテンツ再生装置の周囲の環境要素を観測して環境要素を示すデータを出力する環境要素データ出力ステップと、複数の環境要素から所定の優先順位にしたがって環境要素を選択し、環境要素データ出力ステップで出力されたデータが、選択した環境要素の再生条件に含まれる場合に、その再生条件に対応するコンテンツを記憶手段から優先して抽出するコンテンツ抽出ステップと、コンテンツ抽出手段が抽出したコンテンツを再生するコンテンツ再生ステップとを含むことを特徴とする。
【発明の効果】
【００１４】
本発明によれば、コンテンツ再生時の環境に応じたコンテンツを自動的に再生することができる上に、優先順位をつけることによって使用者に適したコンテンツを再生することができるという効果がある。
【００１５】
また、コンテンツに対応付けられたコンテンツ再生時の再生調整方法を示す情報を記憶し、記憶手段に記憶されているコンテンツ再生時の再生調整方法を示す情報にしたがってコンテンツを再生するように構成すれば、同じコンテンツを再生する場合でも、使用者に異なる印象を与えることができる。
【発明を実施するための最良の形態】
【００１６】
実施の形態１．
以下、本発明の第１の実施の形態を図面を参照して説明する。図１は、本発明によるポータブルコンテンツ再生装置の一構成例を示すブロック図である。ポータブルコンテンツ再生装置は、プログラムにしたがって動作し、映像や音楽等のコンテンツを再生する装置（例えば、ポータブルオーディオプレイヤ、ポータブルＤＶＤプレイヤ、携帯電話機）である。本実施の形態では、ポータブルコンテンツ再生装置は、ポータブルコンテンツ再生装置の周囲の環境要素を観測するためのセンサを備える。
【００１７】
図１に示すポータブルコンテンツ再生装置は、温度センサ１と、湿度センサ２と、気圧センサ３と、照度センサ４と、ノイズセンサ５と、時計機能６と、情報表示デバイス８と、ＣＰＵ９と、ＲＡＭ１０と、操作入力デバイス１１と、音声出力デバイス１２と、不揮発性記憶デバイス１３とを備える。
【００１８】
温度センサ１は、環境要素としての気温を計測するためのセンサである。温度センサ１は、例えば、サーミスタ等のデバイスで実現される。
【００１９】
湿度センサ２は、環境要素としての湿度計測のためのセンサである。湿度センサ２は、例えば、多孔質セラミック等のデバイスで実現される。
【００２０】
気圧センサ３は、環境要素としての気圧を測定するためのセンサである。気圧センサ３は、例えば、セラミックセンサ等のデバイスで実現される。
【００２１】
照度センサ４は、環境要素としての照度を測定するためのデバイスである。照度センサ４は、例えば、フォトダイオード等で実現される。
【００２２】
ノイズセンサ５は、環境要素としての騒音レベルを検出するためのデバイスである。ノイズセンサ５は、例えば、コンデンサマイクなどで実現される。
【００２３】
時計機能６は、環境要素としての季節や時刻を知るためのデバイスである。時計機能６は、例えば、ＲＴＣ等のデバイスで実現される。
【００２４】
情報表示デバイス８は、映像コンテンツの再生表示のほかに、コンテンツのタイトルや再生状況、再生操作ガイド等を表示するためのデバイスである。一般に、情報表示デバイス８として、例えば、ＬＣＤやＥＬディスプレイが用いられる。
【００２５】
ＣＰＵ９は、各センサの検出値の演算、コンテンツデータのデコード、インデックスデータの検索及び、システム自体の制御等を行うための演算ユニットである。
【００２６】
ＲＡＭ１０は、デコードした再生コンテンツを展開したり、各種演算処理に必要な情報を一時的に格納するための記憶メモリである。
【００２７】
操作入力デバイス１１は、コンテンツの再生操作や設定を入力するためのユーザインターフェースである。操作入力デバイス１１として、例えば、キーパッドやボタンスイッチ、タッチパッド等が一般的に用いられる。
【００２８】
音声出力デバイス１２は、コンテンツのサウンドや操作ガイド音を再生するためのデバイスである。音声出力デバイス１２は、例えば、スピーカやイヤホン等で実現される。
【００２９】
不揮発性記憶デバイス１３は、コンテンツデータやデータライブラリ等を格納しておくための記憶メモリである。不揮発性記憶デバイス１３は、例えば、ＥＥＰＲＯＭ（登録商標）、ＦｅＲＡＭ、フラッシュメモリ等の不揮発メモリデバイスで実現される。図１に示すように、不揮発性記憶デバイス１３は、コンテンツインデックスデータ１４と、コンテンツデータライブラリ１５とを記憶する。
【００３０】
コンテンツインデックスデータ１４は、コンテンツデータライブラリ１５の各ライブラリ毎の再生条件が定義されたデータであって、不揮発性記憶デバイス１３における該当領域に記憶される。図２は、コンテンツインデックスデータ１４のデータ構成の一例を示す説明図である。図２に例示するように、コンテンツインデックスデータ１４は、環境要素（例えば、天候、不快指数、照度、季節、時刻および騒音レベル）のそれぞれにおける範囲で表された再生条件をインデックスデータとして含むデータである。図２に示す例では、例えば、環境要素としての季節における再生条件は、「Summer（夏）」、「Autumn（秋）」、「Winter（冬）」（図示されていない）および「Spring（春）」（図示されていない）であり、環境要素としての不快指数における再生条件は、「５０−５５％」、「５５−６０％」および「６５−７０％」等である。
【００３１】
また、コンテンツデータライブラリ１５は、例えば、コンテンツＩＤに対応付けて複数のコンテンツデータを含む。
【００３２】
なお、本実施の形態では、環境要素として、天候、不快指数、照度、季節、時刻および騒音レベルを例示したが、その他の環境要素を含んでもよい。その場合、ポータブルコンテンツ再生装置は、ポータブルコンテンツ再生装置の周囲のその他の環境要素を観測するためのセンサを備える。
【００３３】
第１の実施の形態において、記憶手段は、不揮発性記憶デバイス１３によって実現される。計測手段は、温度センサ１、湿度センサ２、気圧センサ３、照度センサ４、ノイズセンサ５および時計機能６によって実現される。コンテンツ抽出手段は、ＣＰＵ９によって実現される。コンテンツ再生手段は、ＣＰＵ９、情報表示デバイス８および音声出力デバイス１２によって実現される。
【００３４】
次に、図３を参照して第１の実施の形態の動作について説明する。図３は、第１の実施の形態におけるポータブルコンテンツ再生装置の動作を示すフローチャートである。
【００３５】
まず、温度センサ１、湿度センサ２、気圧センサ３、照度センサ４、ノイズセンサ５および時計機能６（以下、各センサと表記する。）は、対応した環境要素を定量的に示す値を出力する。各センサが出力する値は、電圧等のアナログ値であるため、Ａ−Ｄ変換回路（図示せず。）等によってデジタル換算される。ＣＰＵ９は、各センサの出力値（以下、検出値ともいう。）を読み取る（ステップＳ１）。
【００３６】
各センサの検出値は、アナログレベルをデジタル換算しただけの値であるので、コンテンツの再生条件と比較可能な値に変換する必要がある。このため、ＣＰＵ９は、それぞれの要素に応じた演算を行い、再生条件の要素としてＲＡＭ１０等に設定する（ステップＳ２）。ＣＰＵ９は、例えば、要素に応じて以下に例示するような演算を行い、演算結果を再生条件の要素として設定する。なお、再生条件の要素は、コンテンツインデックスデータ１４における再生条件と比較される値を意味する。また、複数のセンサが設けられている場合には、再生条件の要素は複数ある。
【００３７】
例えば、ＣＰＵ９は、気圧センサ３が検出した値にもとづいて、天候を示す値を算出する。一般に、気圧の変化から大まかな天候予測ができることが広く知られている。例えば、気圧が低い時は天候が悪く、一定時間前より気圧が低下している場合には天気は下り坂であると予測される。また、気圧に変化がみられなければ現状維持、気圧が高い場合は好天、一定時間前より気圧が上昇している場合には天候が回復すると予測することができる。
【００３８】
また、ＣＰＵ９は、例えば、温度センサ１および湿度センサ２が検出した値にもとづいて、不快指数を算出する。不快指数は、気温（℃）をｔ、相対湿度（％）をｈとした場合、次式で算出することができる。
【００３９】
不快指数＝０．８１ｔ＋０．０１ｈ（０．９９ｔ−１４．３）＋４６．３
【００４０】
照度および騒音レベルは、センサの検出値から容易に算出可能である。また、季節は、例えば、３月〜５月は春、６月〜８月は夏、９月〜１１月は秋、１２月〜２月は冬、のように決めておけば、時計機能６（例えば、ＲＴＣ）から読み出した現在日付から判定できる。
【００４１】
次に、ＣＰＵ９は、設定した再生条件の要素に合致するインデックスデータを抽出する。具体的には、ＣＰＵ９は、コンテンツインデックスデータ１４から、再生条件の各要素の値に合致するインデックスデータを検索し、対応するコンテンツＩＤを抽出する（ステップＳ３）。
【００４２】
ここで、ＣＰＵ９は、あらかじめ定められた優先順位にもとづいて、環境要素を抽出する。優先順位は、どの環境要素を重視するかを示す順位である。例えば、季節、時刻、天候、不快指数、騒音レベル、照度の順に優先順位を定めた場合、この各環境要素順にインデックスデータをソートすれば、コンテンツ再生条件にマッチした順のコンテンツＩＤを得ることができる。なお、優先順位は、利用者によって自由に変更されてもよい。
【００４３】
ＣＰＵ９は、優先順位が上位の要素から順にインデックスデータを検索し、優先順位が高い環境要素における再生条件に合致した順にコンテンツＩＤを抽出する。よって、優先順位が高い環境要素における再生条件が、選択した環境要素に対応するセンサの検出値にもとづく再生条件の要素に合致したコンテンツＩＤが優先的に抽出される。なお、「再生条件が、再生条件の要素に合致する」には、一致する場合の他に、再生条件の要素（例えば、不快指数５０％）が、所定の範囲を有する再生条件（例えば、不快指数５０−５５％）に含まれる場合も含まれる。
【００４４】
そして、ＣＰＵ９は、抽出されたコンテンツＩＤに対応するコンテンツデータをデータライブラリ１５から読み出して再生する（ステップＳ４）。例えば、ＣＰＵ９は、データライブラリ１５から読み出したコンテンツデータを、情報表示デバイス８や音声出力デバイス１２において順次再生する。ここで、ＣＰＵ９は、優先順位が高い要素に合致した順にコンテンツを再生する。ＣＰＵ９は、例えば、再生環境の変化に応じて、ステップＳ１〜Ｓ４の処理を繰り返す。よって、センサの検出値にもとづくデータ（再生条件の要素）が含まれる、ある順位の環境要素の再生条件に対応するコンテンツがコンテンツデータライブラリ１５に複数記憶されている場合に、他のセンサの検出値にもとづくデータ（再生条件の要素）が、次の順位の環境要素の再生条件に含まれるときにその再生条件に対応するコンテンツをコンテンツデータライブラリ１５から優先して抽出することになる。
【００４５】
ここで、ポータブルコンテンツ再生装置は、再生環境に応じて、コンテンツ再生時の画質／音質を変化させることが望ましい。例えば、天気の良い朝には、自動的に、映像のコントラストを高めに設定し、音声の設定として高音を高めに設定する。また、雨天時の夜には、自動的に、映像の輝度を高めにし、コントラストを低く設定し、音質の設定として中域をブースト気味に設定する。例えば、コンテンツインデックスデータ１４が、天候や不快指数等の要素およびコンテンツＩＤに対応付けて、コンテンツの再生時の再生調整方法（例えば、画質や音質の設定方法）を示す情報を含むインデックスデータを記憶してもよい。ＣＰＵ９は、例えば、インデックスデータを検索し、コンテンツＩＤとともにコンテンツの再生時の再生調整方法を示す情報を抽出し、抽出した情報に応じて画質や音質を変化させてコンテンツを再生する。
【００４６】
以上に説明したように、本実施の形態によれば、利用者の環境に応じたコンテンツを優先順にしたがって再生することができる。例えば、天候が悪い場合には、インデックスデータにもとづいて、さわやかな雰囲気のコンテンツが抽出される。したがって、実際に利用者を取り巻く再生環境と、再生されるコンテンツ内容との相乗効果により、利用者の感動をさらに高めることができる。
【００４７】
また、リスニング環境が変わった際も、新しい環境に応じたコンテンツを再生することができる。したがって、利用者は、再生環境とコンテンツ内容とのギャップを感ずることなく、コンテンツ鑑賞に没頭することができる。
【００４８】
コンテンツ再生装置が自動的にコンテンツを選択して再生するため、利用者が再生するコンテンツを選択する煩わしさから解放されるという効果がある。
【００４９】
また、再生環境に応じて、コンテンツの画質や音質が変化するため、同じコンテンツを再生する場合でも再生環境に応じた変化をつけることができ、利用者を飽きさせない演出をすることができる。
【００５０】
実施の形態２．
以下、本発明の第２の実施の形態を図面を参照して説明する。図４は、本発明によるポータブルコンテンツ再生システムの一構成例を示すブロック図である。図４に示すポータブルコンテンツ再生システムは、コンテンツ再生装置２０と、無線基地局２１と、システム制御サーバ２３と、コンテンツデータベース２４と、インデックス管理データベース２５とを備える。コンテンツ再生装置２０は、インターネット２２等の通信ネットワークおよび無線基地局２１を介して、システム制御サーバ２３と接続される。
【００５１】
コンテンツ再生装置２０は、映像や音楽等のコンテンツを再生する装置（例えば、携帯電話機）であって、再生環境を示す各要素を計測するためのセンサを備える。図５は、コンテンツ再生装置２０の一構成例を示すブロック図である。図５に示すコンテンツ再生装置２０は、温度センサ１と、湿度センサ２と、気圧センサ３と、照度センサ４と、ノイズセンサ５と、時計機能６と、無線送受信部７と、情報表示デバイス８と、ＣＰＵ９と、ＲＡＭ１０と、操作入力デバイス１１と、音声出力デバイス１２とを備える。なお、第１の実施の形態におけるポータブルコンテンツ再生装置と同様の構成部については、図１と同一の符号を付し、説明を省略する。また、図４では、１つのコンテンツ再生装置２０を示しているが、ポータブルコンテンツ再生システムは、複数のコンテンツ再生装置２０を含んでもよい。
【００５２】
無線送受信部７は、アンテナを介して、無線基地局２１と無線通信を行う。コンテンツ再生装置２０は、無線送受信部７およびアンテナを介して、無線基地局２１とデータ通信を行う。
【００５３】
無線基地局２１は、コンテンツ再生装置２０と無線通信を行う基地局である。無線基地局２１は、コンテンツ再生装置２０の無線送受信部７と無線信号のやり取りを行う。
【００５４】
システム制御サーバ２３は、例えば、コンテンツ配信サービスを提供するサービス事業者によって運営される。システム制御サーバ２３は、インターネット２２等のネットワークを経由して、無線基地局２１に接続される。システム制御サーバ２３には、コンテンツデータベース２４およびインデックス管理データベース２５が接続される。なお、システム制御サーバ２３は、コンテンツデータベース２４およびインデックス管理データベース２５を内蔵してもよい。
【００５５】
インデックス管理データベース２５は、インデックスデータを記憶する（図２参照。）。また、コンテンツデータベース２４は、コンテンツＩＤに対応付けてコンテンツデータを記憶する。
【００５６】
図６は、システム制御サーバ２３の一構成例を示す機能ブロック図である。図６に例示するように、システム制御サーバ２３は、計測結果受信手段２３１と、コンテンツ抽出手段２３２と、コンテンツ配信手段２３３とを含む。
【００５７】
計測結果受信手段２３１は、各センサが計測した値を、無線基地局２１およびインターネット２２等の通信ネットワークを介して、コンテンツ再生装置２０から受信する。
【００５８】
コンテンツ抽出手段２３２は、計測結果受信手段２３１が受信した各センサ値にもとづいて、それぞれの要素に応じた演算を行い、再生条件の要素として設定する。コンテンツ抽出手段２３２は、インデックス管理データベース２５から、設定した再生条件の要素に合致するインデックスデータを検索し、対応するコンテンツＩＤを抽出する。そして、コンテンツ抽出手段２３２は、コンテンツデータベース２４から、抽出したコンテンツＩＤに対応するコンテンツデータを抽出する。
【００５９】
コンテンツ配信手段２３３は、コンテンツ抽出手段２３２が抽出したコンテンツを、インターネット２２等の通信ネットワークを介して、コンテンツ再生装置２０に送信する。
【００６０】
次に、図７を参照して第２の実施の形態の動作について説明する。図７は、第２の実施の形態におけるポータブルコンテンツ再生システムの動作を示すフローチャートである。
【００６１】
まず、コンテンツ再生装置２０の温度センサ１、湿度センサ２、気圧センサ３、照度センサ４、ノイズセンサ５および時計機能６は、対応した環境要素を定量的に示す値を出力する。（ステップＳ１１）。ＣＰＵ９は、各センサの検出値を読み取り、無線基地局２１およびインターネット２２等の通信ネットワークを経由して、検出値をシステム制御サーバ２３に送信する（ステップＳ１２）。
【００６２】
次に、システム制御サーバ２３の計測結果受信手段２３１は、各センサの検出値を、無線基地局２１およびインターネット２２等の通信ネットワークを介して、コンテンツ再生装置２０から受信する（ステップＳ１３）。
【００６３】
コンテンツ抽出手段２３２は、計測結果受信手段２３１が受信した各センサ値にもとづいてコンテンツの再生条件の要素を算出する（ステップＳ１４）。そして、コンテンツ抽出手段２３２は、インデックス管理データベース２５から、再生条件の要素にマッチするインデックスデータを検索し、対応するコンテンツＩＤを抽出する（ステップＳ１５）。コンテンツ抽出手段２３２は、コンテンツデータベース２４から、抽出したコンテンツＩＤに対応するコンテンツデータを抽出する（ステップＳ１６）。
【００６４】
コンテンツ配信手段２３３は、コンテンツ抽出手段２３２が抽出したコンテンツを、インターネット２２等の通信ネットワークを介して、コンテンツ再生装置２０に送信する（ステップＳ１７）。コンテンツ再生装置２０は、受信したコンテンツデータを再生する（ステップＳ１８）。
【００６５】
以上に説明したように、上記の第２の実施の形態によれば、コンテンツデータ及びインデックスデータが外部サーバ（システム制御サーバ２３）に記憶されるため、コンテンツ再生装置２０自体が大容量の不揮発性記憶デバイスを搭載する必要がない。そのため、例えば、コンテンツ再生装置２０を小型化し、軽量化することができる。
【００６６】
また、システム制御サーバ２３が、コンテンツ再生条件の演算や再生条件にマッチしたコンテンツデータの抽出等の処理を行うことから、コンテンツ再生装置２０がこれらの処理を行う必要がなく、ＣＰＵ９の処理負荷を軽減することができる。
【産業上の利用可能性】
【００６７】
本発明は、利用状況に応じて周囲の環境が変化する携帯可能なコンテンツ再生装置に効果的に適用できる。
【図面の簡単な説明】
【００６８】
【図１】本発明によるポータブルコンテンツ再生装置の一構成例を示すブロック図である。
【図２】コンテンツインデックスデータのデータ構成の一例を示す説明図である。
【図３】第１の実施の形態におけるポータブルコンテンツ再生装置の動作を示すフローチャートである。
【図４】本発明によるポータブルコンテンツ再生システムの一構成例を示すブロック図である。
【図５】コンテンツ再生装置の一構成例を示すブロック図である。
【図６】システム制御サーバの一構成例を示す機能ブロック図である。
【図７】第２の実施の形態におけるポータブルコンテンツ再生システムの動作を示すフローチャートである。
【符号の説明】
【００６９】
１    温度センサ
２    湿度センサ
３    気圧センサ
４    照度センサ
５    ノイズセンサ
６    時計機能
８    情報表示デバイス
９    ＣＰＵ
１０  ＲＡＭ
１１  操作入力デバイス
１２  音声出力デバイス
１３  不揮発性記憶デバイス
【図１】
2008123576.tif 000003
【図２】
2008123576.tif 000004
【図３】
2008123576.tif 000005
【図４】
2008123576.tif 000006
【図５】
2008123576.tif 000007
【図６】
2008123576.tif 000008
【図７】
2008123576.tif 000009